(57)【要約】【課題】カード型周辺デバイスの不用意な着脱が行われてもカード型周辺デバイスとの間で信号転送の誤動作が発生しないようにし、これによりカード型周辺デバイスを使用する上での信頼性の向上を図る。【解決手段】カードスロットＥにロック機構Ｆを設けると共に、このロック機構Ｆのロック状態を検出するロック状態検出部２３を設ける。そして、ＳＩＭカードＤが装着されている状態で、上記ロック状態検出部２３の検出信号ＤＳをもとにロック機構Ｅの解除操作を監視し、ＳＩＭカードＤのアクセス中にロック解除された場合に、ＳＩＭカードＤがカードスロットＥから取り出されるまでの間にデータ転送終了処理を実行するようにしたものである。【選択図】　　図２
2004013220.tif 000002
【特許請求の範囲】
【請求項１】
カード型周辺デバイスが着脱自在に装着されるスロットを備えた電子機器において、
前記スロットに装着されたカード型周辺デバイスとの間で信号の転送を行うインタフェースと、
前記カード型周辺デバイスが前記スロットに装着された状態で、当該スロットからのカード型周辺デバイスの取り出しを構造的に規制するロック機構と、
このロック機構によるロック状態が有効になっているか無効になっているかを検出する検出手段と、
この検出手段の検出結果に基づいて、前記インタフェースの動作状態を制御する制御手段とを具備したことを特徴とする電子機器。
【請求項２】
前記制御手段は、前記ロック機構によるロック状態が有効になっている場合に、前記インタフェースの動作状態を前記カード型周辺デバイスとの間で信号の転送が可能な活性状態に設定し、一方前記ロック機構によるロック状態が無効になっている場合には、前記インタフェースの動作状態を前記カード型周辺デバイスとの間で信号の転送が不可能な非活性状態に設定することを特徴とする請求項１記載の電子機器。
【請求項３】
前記制御手段は、前記ロック機構のロック状態が無効になったことが検出された時点からインタフェースの動作状態を非活性状態に遷移させるまでの期間に、前記スロットからのカード型周辺デバイスの取り出しが不可能である旨のメッセージを前記電子機器のユーザに報知する機能を、さらに備えたことを特徴とする請求項２記載の電子機器。
【請求項４】
前記制御手段は、前記インタフェースの動作状態を活性状態から非活性状態に遷移させた後に、前記スロットからのカード型周辺デバイスの取り出しが可能である旨のメッセージを前記電子機器のユーザに報知する機能を、さらに備えたことを特徴とする請求項２記載の電子機器。
【請求項５】
前記制御手段は、前記スロットにカード型周辺デバイスが装着された時点から前記ロック機構のロック状態が有効になるまでの期間内に、前記ロック機構のロック状態を有効に設定させるためのロック操作を促すメッセージを前記電子機器のユーザに報知する機能を、さらに備えたことを特徴とする請求項２記載の電子機器。
【発明の詳細な説明】
【０００１】
【発明の属する技術分野】
この発明は、例えば携帯電話端末やＰＤＡ（Ｐｅｒｓｏｎａｌ　Ｄｉｇｉｔａｌ　Ａｓｓｉｓｔａｎｔｓ）、電子カメラ、ポータブルプレーヤ等の電子機器に係わり、特にメモリカードやＳＩＭ（Ｓｕｂｓｃｒｉｂｅｒ　Ｉｄｅｎｔｉｔｙ　Ｍｏｄｕｌｅ）カード等のカード型周辺デバイスが着脱自在に装着されるスロットを備えた電子機器に関する。
【０００２】
【従来の技術】
一般に、電子カメラやポータブルプレーヤはカードスロットを備え、このカードスロットにメモリカードを装着することにより、画像データの記憶やメモリカードに記憶された音楽データの再生等を行えるようになっている。
【０００３】
また最近では、携帯電話端末やＰＤＡ等の移動通信端末にカードスロットを設け、このカードスロットにＳＩＭカードを装着することにより、このＳＩＭカードに記憶された加入者情報やダイヤル情報をもとに、１台の端末を複数のユーザが共用できるようにすることが提唱されている。
【０００４】
ところで、従来使用又は提唱されているこの種の電子機器は、カードスロットに対するカードの装着の有無を検出する機能を備え、この機能によりカードの装着が確認された状態で電子機器本体とカードとの間の信号転送を可能にするように構成されている。このため、カードが正しく装着されていない状態でカードがアクセスされる不具合は防止される。
【０００５】
【発明が解決しようとする課題】
しかし、このカード検出機能ではカードの装着の有無しか検出されない。このため、カードのアクセス中にユーザが誤って電子機器を落下させたり、不用意にカードの取り出し操作を行うと、カードのアクセスを終了させる処理が間に合わず、その結果データの誤書き込みやカードの記憶データの消失等が発生することがあった。
【０００６】
この発明は上記事情に着目してなされたもので、その目的とするところは、カード型周辺デバイスの不用意な着脱が行われても、カード型周辺デバイスとの間で信号転送の誤動作が発生しないようにし、これによりカード型周辺デバイスを使用する上での信頼性の向上を図った電子機器を提供することにある。
【０００７】
【課題を解決するための手段】
上記目的を達成するためにこの発明は、カード型周辺デバイスが着脱自在に装着されるスロットを備えた電子機器において、上記カード型周辺デバイスが上記スロットに装着された状態で当該スロットからのカード型周辺デバイスの取り出しを構造的に規制するロック機構を設けると共に、ロック状態の検出手段と、制御手段とを設ける。そして、上記上記ロック機構によるロック状態が有効になっているか無効になっているかを上記検出手段により検出し、この検出手段の検出結果に基づいて、スロットに装着されたカード型周辺デバイスとの間で信号転送を行うインタフェースの動作状態を制御するようにしたものである。
【０００８】
具体的には、ロック機構によるロック状態が有効になっている場合に、インタフェースの動作状態をカード型周辺デバイスとの間で信号の転送が可能な活性状態に設定し、一方ロック機構によるロック状態が無効になっている場合には、インタフェースの動作状態をカード型周辺デバイスとの間で信号の転送が不可能な非活性状態に設定する。
【０００９】
したがってこの発明によれば、ロック機構のロックが解除されると、つまりロックが状態が無効になると、このロック状態の変化が検出手段により検出され、これに応じてインタフェースが自動的に非活性状態に設定される。このため、カード型周辺デバイスのアクセス中にユーザが不用意にカード型周辺デバイスを取り出そうとしても、ロック解除操作が行われた時点からカード型周辺デバイスが実際にスロットから取り出されるまでの間に、カード型周辺デバイスのアクセスを確実に終了することが可能となる。したがって、データの誤書き込みや記憶データの消失等が発生する不具合は防止され、これによりカード型周辺デバイスを使用する上での信頼性を高めることができる。
【００１０】
また、ロック機構のロック状態が無効になったことが検出された時点からインタフェースの動作状態を非活性状態に遷移させるまでの期間に、スロットからのカード型周辺デバイスの取り出しが不可能である旨のメッセージを電子機器のユーザに報知するようにしてもよい。このように構成すると、ユーザはカード型周辺デバイスの取り出しが不可能な状態にあることを確認することができ、これによりアクセスの終了処理中にカード型周辺デバイスが取り出される不具合を効果的に防止できる。
【００１１】
さらに、インタフェースの動作状態を活性状態から非活性状態に遷移させた後に、スロットからのカード型周辺デバイスの取り出しが可能である旨のメッセージを電子機器のユーザに報知するとよい。このように構成すると、ユーザはカード型周辺デバイスの取り出しが可能になった旨を明確に知ることができる。
【００１２】
さらに、スロットにカード型周辺デバイスが装着された時点からロック機構のロック状態が有効になるまでの期間内に、ロック機構のロック状態を有効に設定させるためのロック操作を促すメッセージを電子機器のユーザに報知するとよい。このように構成すると、ユーザのロック操作のし忘れを防ぐことができ、またユーザがカード型周辺デバイスのアクセスが可能にならないことをユーザが故障と誤認識する不具合を防止できる。
【００１３】
【発明の実施の形態】
図１は、この発明に係わる電子機器の一実施形態である携帯電話端末の外観を示すもので、（ａ）はその正面図、（ｂ）は側面図である。
【００１４】
この携帯電話端末は、上部筐体Ａと下部筐体Ｂとをヒンジ機構Ｃにより矢印Ｌに示すように回動可能に接続した折り畳み形の端末である。上部筐体Ａの前面部には、液晶表示器（ＬＣＤ；Ｌｉｑｕｉｄ　Ｃｒｙｓｔａｌ　Ｄｅｖｉｓｅ）１５と受話用のスピーカ１０が配設されている。
【００１５】
また、上部筐体Ａの上端部にはアンテナ１が配設されている。このアンテナ１は、ホイップアンテナとヘリカルアンテナとを組み合わせたもので、通信時にはホイップアンテナが上部筐体Ａから引き出されて使用され、一方待ち受け時にはホイップアンテナが上部筐体Ａ内に収容されて代わりにヘリカルアンテナが使用される。この構成により、通信時にはホイップアンテナにより高感度の通信を行うことができ、一方待ち受け時には筐体外にはヘリカルアンテナのみが突出することになるので可搬性を良好に保つことができる。
【００１６】
これに対し下部筐体Ｂの前面部には、入力部１４と送話用のマイクロホン１１が配設されている。入力部１４は、ダイヤルキーと、送信キー、終了キー、電源キー、音量調節キー、モード指定キー等の機能キーとから構成される。
【００１７】
また下部筐体Ｂの側面部には、イヤホン端子等に加え、ロック機構Ｆ付きのカードスロットＥが設けてある。このカードスロットＥには、メモリカードやＳＩＭ（Ｓｕｂｓｃｒｉｂｅｒ　Ｉｄｅｎｔｉｔｙ　Ｍｏｄｕｌｅ）カードＤが着脱自在に装着される。同図ではＳＩＭカードを例示しており、カードの一方の面に複数の接点が設けられている。ロック機構Ｆは、カードスロットＥに装着されたＳＩＭカードＤの取り出しを構造的に規制するもので、例えばカードスロットＥの挿入口にスライドレバーを配置したものである。
【００１８】
ところで、上記携帯電話端末の回路は次のように構成される。図２はその構成を示すブロック図である。
すなわち、図示しない基地局から送信された無線信号は、アンテナ１で受信されたのちアンテナ共用器（ＤＵＰ）２を介して受信回路（ＲＸ）３に入力される。受信回路３は、上記受信された無線信号を周波数シンセサイザ（ＳＹＮ）４から出力された局部発振信号とミキシングして中間周波信号に周波数変換する。そして、この中間周波信号を直交復調して受信ベースバンド信号を出力する。なお、上記周波数シンセサイザ４から発生される局部発振信号の周波数は、制御部１２からの制御信号ＳＹＣによって指定される。
【００１９】
上記受信ベースバンド信号はＣＤＭＡ信号処理部６に入力される。ＣＤＭＡ信号処理部６はＲＡＫＥ受信機を備える。ＲＡＫＥ受信機では、上記受信ベースバンド信号に含まれる複数のパスがそれぞれ拡散符号により逆拡散処理される。そして、この逆拡散処理された各パスの信号が位相を合わされたのち合成される。この結果、所定の伝送フォーマットの受信パケットデータが得られる。そして、この受信パケットデータは圧縮伸長処理部（以後コンパンダと称する）７に入力される。
【００２０】
コンパンダ７は、上記ＣＤＭＡ信号処理部６から出力された受信パケットデータを多重分離部によりメディアごとに分離する。そして、この分離されたメディアデータごとに復号処理を施す。例えば受信パケットデータにオーディオデータが含まれていれば、このオーディオデータをスピーチコーデックにより復号する。また受信パケットデータにビデオデータが含まれていれば、このビデオデータをビデオコーデックにより復号する。この復号処理により得られたディジタルオーディオ信号はＰＣＭ符号処理部（以後ＰＣＭコーデックと称する）８へ、またディジタルビデオ信号は制御部１２へそれぞれ入力される。さらに、受信パケットデータにメール等のテキストデータが含まれている場合には、このテキストデータは制御部１２に入力される。
【００２１】
ＰＣＭコーデック８は、コンパンダ７から出力されたディジタルオーディオ信号をＰＣＭ復号してアナログオーディオ信号を出力する。このアナログオーディオ信号は、受話増幅器９にて増幅されたのちスピーカ１０より出力される。
【００２２】
制御部１２は、上記コンパンダ７から出力されたディジタルビデオ信号を、ビデオＲＡＭを使用して表示部１５のＬＣＤに表示する。また、メール等のテキストデータについては、記憶部１３に一旦保存すると共に表示部１５のＬＣＤに表示する。なお、留守番モードが設定されている場合には、上記コンパンダ７において復号処理する前のオーディオデータ及びビデオデータを取り込んで、これらのデータを記憶部１３内の留守記録エリアに記憶させる。なお、表示部１５のＬＣＤには、先に述べた送受信データ等のほかに、電話帳情報や通信相手端末の電話番号、送受信履歴、自端末の動作状態等も表示される。
【００２３】
一方、マイクロホン１１に入力された話者の音声信号は、送話増幅器１８により適正レベルまで増幅されたのち、ＰＣＭコーデック８にてＰＣＭ符号化処理が施され、ディジタルオーディオ信号となってコンパンダ７に入力される。また、図示しないカメラにより撮像されたビデオ信号は、制御部１２によりディジタル化されてコンパンダ７に入力される。なお、制御部１２において作成されたメール等のテキストデータも、制御部１２からコンパンダ７に入力される。
【００２４】
コンパンダ７は、ＰＣＭコーデック８から出力されたディジタルオーディオ信号より入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御部１２から出力されたディジタルビデオ信号を符号化してビデオデータを生成する。そして、これらの音声データ及び画像データを多重分離部で所定の伝送フォーマットに従いパケット化し、この送信パケットデータをＣＤＭＡ信号処理部６へ出力する。なお、制御部１２からメール等のテキストデータが出力された場合にも、このテキストデータを上記送信パケットデータに多重化する。
【００２５】
ＣＤＭＡ信号処理部６は、上記コンパンダ７から出力された送信パケットデータに対し、送信チャネルに割り当てられた拡散符号を用いてスペクトラム拡散処理を施す。そして、その出力信号を送信回路（ＴＸ）５へ出力する。送信回路５は、上記スペクトラム拡散された信号を例えばＱＰＳＫ方式等のディジタル変調方式を使用して変調する。そして、この変調により生成された送信信号を、周波数シンセサイザ４から発生される局部発振信号と合成して無線信号に周波数変換する。そして、制御部１２により指示される送信電力レベルとなるように上記無線信号を高周波増幅する。この増幅された無線信号は、アンテナ共用器２を介してアンテナ１に供給され、このアンテナ１から接続中の基地局へ向けて送信される。
【００２６】
なお、１７は電源回路であり、バッテリ１６の出力をもとに所定の動作電源電圧Ｖｃｃを生成して各回路部に供給する。
【００２７】
また、この携帯電話端末は先に述べたようにカードスロットＥを備えており、このカードスロットＥに対応して、カードインタフェース（カードＩ／Ｆ）２１と、カード検出部２２と、ロック状態検出部２３とを備えている。カードＩ／Ｆ２１は、制御部１２ａの制御の下、カードスロットＥに装着されたカードＤに対し動作電源電圧を供給すると共に、カードＤとの間で信号の授受を行う。カード検出部２２は、カードスロットＥにおけるカードの装着の有無を検出するもので、その検出結果を制御部１２に通知する。
【００２８】
ロック状態検出部２３は、カードスロットＥに設けられたロック機構Ｆのロック状態をそのスライドレバーの位置から検出する。図３はこのロック状態検出部２３の回路構成の一例を示すものである。すなわち、ロック状態検出部２３は、ロック機構Ｆのスライドレバーに固定された可動接点２４と、この可動接点２４に接触する３個の固定接点ａ，ｂ，ｃとを備えている。この３個の固定接点ａ，ｂ，ｃのうち、接点ａ，ｃはそれぞれ開放及び接地され、また接点ｂは抵抗Ｒによりプルアップされている。そして、この固定接点ｂの電位を検出信号ＤＳとして制御部１２に入力している。
【００２９】
制御部１２はマイクロプロセッサを主制御部として有するもので、この発明に係わる新たな制御機能として、ロック状態判定機能１２ａと、カード保護制御機能１２ｂとを備えている。
【００３０】
ロック状態判定機能１２ａは、上記ロック状態検出部２３から検出信号ＤＳを取り込み、この取り込んだ検出信号ＤＳの電圧レベルをもとに、ロック機構Ｅのロック状態が有効であるか無効であるかを判定する。
【００３１】
カード保護制御機能１２ｂは、カードＤが装着されている状態において、ロック機構Ｅのロック状態が有効から無効に変化したことが上記ロック状態判定機能１２ａからの割り込みにより通知された場合に、その時点でカードＤのアクセス終了処理を実行してカードＩ／Ｆ２１を非活性状態に設定する。また、上記割り込みが通知された時点からカードＩ／Ｆ２１を非活性状態に設定するまでの期間に、カードＤの取り出しを行えない旨のメッセージを表示部１５のＬＣＤに表示し、カードＩ／Ｆ２１を非活性状態に設定した後にはカードの取り出しが可能になった旨のメッセージを上記ＬＣＤに表示する。
【００３２】
次に、以上のように構成された端末の動作を説明する。図４乃至図６は制御部１２の制御手順と制御内容を示すフローチャートである。なお、ここでは携帯電話端末にＳＩＭカードを装着して使用する場合を例にとって説明する。
【００３３】
制御部１２は、図４に示すように、ステップ４ａにおいてカード検出部２２の検出信号をもとにＳＩＭカードＤの装着の有無を監視している。この状態で、ユーザがカードスロットＥにＳＩＭカードＤを装着すると、制御部１２は続いてステップ４ｂにおいてロック状態検出部２３の検出信号ＤＳをもとにロック機構Ｆのロック状態を判定する。この判定の結果、ロック機構Ｆがまだロックされておらずロック状態が無効であれば、ステップ４ｃに移行してここでユーザにロック機構Ｆのロックを促すメッセージを生成して表示部１５のＬＣＤに表示する。このときのメッセージとしては、例えば
「カードスロットのロック機構をロックしてください」
が用いられる。
【００３４】
したがって、不慣れなユーザであっても、このメッセージによりロック機構Ｆをロックする必要があることを知ることができ、またＳＩＭカードＤをアクセスできないことを故障と誤って認識する不具合を回避できる。
【００３５】
一方、ユーザがロック機構Ｆのスライドレバーをスライドすることによりロック操作を行ったとする。そうするとロック状態検出部２３の検出信号ＤＳが“Ｈ”から“Ｌ”（接地レベル）に変化する。制御部１２は、この検出信号ＤＳのレベル変化によりロック状態が「有効」になったと判断し、ステップ４ｄで上記ロック機構Ｆのロックを促すメッセージの表示をオフした後、ステップ４ｅに移行してカードＩ／Ｆ２１を活性状態に設定する。この結果、カードＩ／Ｆ２１からＳＩＭカードＤに対し電源電圧の供給が開始され、以後ＳＩＭカードＤのアクセスが可能な状態になる。そして制御部１２は、ステップ４ｆによりＳＩＭカードＤとの間で所定の認証手順を実行し、その結果当該ＳＩＭカードＤが使用可能であれば以後ＳＩＭカードＤとの間でデータ転送が可能となる。
【００３６】
次に、ＳＩＭカードＤを取り出す場合の動作について説明する。制御部１２は、ＳＩＭカードＤが装着されている状態で、図５に示すようにステップ５ａによりロック機構Ｅのロック状態を監視している。
【００３７】
さて、この状態でユーザがＳＩＭカードＤを取り出すべくロック機構Ｆのスライドレバーを操作してロックを解除したとする。そうすると、ロック状態検出部２３の検出信号ＤＳが“Ｌ”から“Ｈ”（電源電圧レベル）に変化する。制御部１２は、この検出信号ＤＳのレベル変化によりロック状態が「有効」から「無効」に遷移したと判断し、ステップ５ｂによりユーザにＳＩＭカードの取り出しを待たせるためのメッセージを生成して表示部１５のＬＣＤに表示する。この表示メッセージとしては、例えば
「ＳＩＭカードのアクセス終了処理中です。しばらくお待ち下さい。」
が用いられる。
【００３８】
続いて制御部１２は、ステップ５ｃによりＳＩＭカードＤとの間でデータ転送中か否かを判定する。この判定の結果、データ転送を行っていなければステップ５ｅに移行し、ここでカードＩ／Ｆ２１を非活性状態に設定する。この結果、カードＩ／Ｆ２１からＳＩＭカードＤに対する電源電圧の供給が断たれ、以後ＳＩＭカードＤはアクセス不可能な状態になる。
【００３９】
一方、ＳＩＭカードＤとの間でデータ転送中だった場合には、制御部１２はステップ５ｄに移行し、ここでＳＩＭカードのアクセスを終了するための処理を次のように実行する。図６はその制御内容を示すフローチャートである。
【００４０】
すなわち、先ずステップ６ａで現在転送中のデータの残り量を算出する。そして、この算出されたデータの残り量が所定時間以内に転送可能なデータ量であるか否かをステップ６ｂで判定する。上記所定時間は、例えばユーザがロック機構Ｆのロック解除操作を行ってからＳＩＭカードＤを取り出すまでに要する最短時間より若干短い値に設定される。
【００４１】
上記判定の結果、算出された残りデータ量が所定時間以内に転送可能なデータ量であれば、ステップ６ｃに移行してここで当該データの転送を最後まで実行する。これに対し算出された残りデータ量が所定時間以内に転送可能なデータ量を越えている場合には、ステップ６ｄに移行してデータ転送の中断処理を実行する。そして、これらの転送処理又は転送中断処理の終了をステップ６ｅで検出すると、制御部１２はステップ５ｅに移行してカードＩ／Ｆ２１を非活性状態に設定する。
【００４２】
上記ステップ５ｅにおいてＳＩＭカードＤがアクセス不可能な状態に設定されると、制御部１２はＳＩＭカードＤの取り出しが可能になった旨のメッセージをステップ５ｆで生成して表示部１５のＬＣＤに表示する。表示メッセージとしては、例えば
「ＳＩＭカードの取り出しが可能になりました。」
が使用される。
【００４３】
そして、ステップ５ｇによりＳＩＭカードＤの取り出し操作を監視し、この状態でユーザがＳＩＭカードＤを取り出したことをカード検出部２２の検出信号から検出すると、ステップ５ｈに移行してここで上記メッセージの表示をオフし、一連のカード取り出し制御を終了する。
【００４４】
以上述べたようにこの実施形態では、カードスロットＥにロック機構Ｆを設けると共に、このロック機構Ｆのロック状態を検出するロック状態検出部２３を設ける。そして、ＳＩＭカードＤが装着されている状態で、上記ロック状態検出部２３の検出信号ＤＳをもとにロック機構Ｅの解除操作を監視し、ＳＩＭカードＤのアクセス中にロック解除された場合に、ＳＩＭカードＤがカードスロットＥから取り出されるまでの間にデータ転送終了処理を実行するようにしている。
【００４５】
したがって、ＳＩＭカードＤのアクセス中にユーザが不用意に当該カードＤを取り出そうとしても、ロック解除操作が行われた時点からＳＩＭカードＤが実際にカードスロットＥから取り出されるまでの間に、ＳＩＭカードＤのアクセスを確実に終了することができる。したがって、データの誤書き込みや記憶データの消失等が発生する不具合は防止され、これによりＳＩＭカードＤを使用する上での信頼性を高めることができる。
【００４６】
また、ロック解除操作が検出された時点からＳＩＭカードＤのアクセスを終了するまでの間にＳＩＭカードの取り出しを待たせるメッセージを表示するようにしているので、ユーザはＳＩＭカードＤの取り出しが不可能な状態にあることを確認することができ、これによりアクセス終了処理が終わらないうちにＳＩＭカードＤが取り出される不具合を効果的に防止できる。さらに、上記アクセス終了処理の実行終了後には、ＳＩＭカードＤの取り出しが可能になった旨のメッセージを表示するようにしているので、ユーザはＳＩＭカードＤの取り出しが可能になった旨を明確に知ることができる。
【００４７】
さらに、カードスロットＥにＳＩＭカードＤが装着された時点からロック機構Ｆのロック状態が有効になるまでの期間内に、ロック操作を促すメッセージを表示するようにしているので、不慣れなユーザがロック操作をし忘れることを防ぐことができ、また故障と誤認識する不具合も防止できる。
【００４８】
またこの実施形態では、アクセス終了処理を行う際に転送データの残り量を算出し、この算出された残りデータ量が所定時間、例えばユーザがロック機構Ｆのロック解除操作を行ってからＳＩＭカードＤを取り出すまでに要する最短時間以内に転送可能な量であるか否かを判定している。そして、転送可能な場合にはそのまま最後までデータ転送を行わせ、一方転送不可能な場合にはデータ転送の中断処理を実行するようにしている。このため、ロック機構Ｆのロック解除操作が検出された場合に無条件にデータ転送を中断する場合に比べ、可能な限りデータ転送処理を最後まで終了することができる。
【００４９】
なお、この発明は上記実施形態に限定されるものではない。例えば、ロック機構はカードスロットの挿入口に蓋をするものであってもよく、その他如何なる構造であっても構わない。
【００５０】
また、前記実施形態ではロック状態検出部２３を可動接点２４と固定接点との接触状態を検出する構成としたが、ホトカプラなどの光学スイッチを用いても構成できる。
【００５１】
その他、電子機器の種類とその構成、カードの種類とその構成、制御部によるカード装着制御及びカード取り出し制御の手順と内容、メッセージの構成とその報知方法等についても、この発明の要旨を逸脱しない範囲で種々変形して実施できる。
【００５２】
【発明の効果】
以上詳述したようにこの発明では、カード型周辺デバイスが着脱自在に装着されるスロットを備えた電子機器において、上記カード型周辺デバイスが上記スロットに装着された状態で当該スロットからのカード型周辺デバイスの取り出しを構造的に規制するロック機構を設けると共に、ロック状態の検出手段と、制御手段とを設ける。そして、上記上記ロック機構によるロック状態が有効になっているか無効になっているかを上記検出手段により検出し、この検出手段の検出結果に基づいて、スロットに装着されたカード型周辺デバイスとの間で信号転送を行うインタフェースの動作状態を制御するようにしている。
【００５３】
したがってこの発明によれば、カード型周辺デバイスの不用意な着脱が行われても、カード型周辺デバイスとの間で信号転送の誤動作が発生しないようにすることができ、これによりカード型周辺デバイスを使用する上での信頼性の向上を図った電子機器を提供することができる。
【図面の簡単な説明】
【図１】この発明に係わる電子機器の一実施形態である携帯電話端末の外観を示す正面図及び側面図。
【図２】図１に示した携帯電話端末の回路構成を示すブロック図。
【図３】図２に示した携帯電話端末の要部であるロック状態検出部の構成を示す図。
【図４】カード型周辺デバイスとしてのＳＩＭカードを携帯電話端末に装着する際の制御手順とその内容を示すフローチャート。
【図５】カード型周辺デバイスとしてのＳＩＭカードを携帯電話端末から取り出す際の制御手順とその内容を示すフローチャート。
【図６】図５に示した制御手順中のＳＩＭカードアクセス終了処理の内容を示すフローチャート。
【符号の説明】
Ａ…上部筐体
Ｂ…下部筐体
Ｃ…ヒンジ機構
Ｄ…ＳＩＭカード
Ｅ…カードスロット
Ｆ…ロック機構
１…アンテナ
２…アンテナ共用器（ＤＵＰ）
３…受信回路（ＲＸ）
４…周波数シンセサイザ（ＳＹＮ）
５…送信回路（ＴＸ）
６…ＣＤＭＡ信号処理部
７…圧縮伸長処理部（コンパンダ）
８…ＰＣＭ符号処理部（ＰＣＭコーデック）
９…受話増幅器
１０…スピーカ
１１…マイクロホン
１２…制御部
１２ａ…ロック状態判定機能
１２ｂ…カード保護制御機能
１３…記憶部
１４…入力部
１５…表示部
１６…バッテリ
１７…電源回路
１８…送話増幅器
２１…カードインタフェース（Ｉ／Ｆ）
２２…カード検出部
２３…ロック状態検出部
２４…可動接点
【図１】
2004013220.tif 000003
【図２】
2004013220.tif 000004
【図３】
2004013220.tif 000005
【図４】
2004013220.tif 000006
【図５】
2004013220.tif 000007
【図６】
2004013220.tif 000008